(57)【要約】【課題】  ハイブリッドカメラにおいて、複数のディスクにシーンを分割してダビングする場合、連続性のあるシーンの途中で分割されてしまい、鑑賞時にシーンが突然中断してしまうという課題があった。【解決手段】  顔検出機能により、顔が映っていない位置でシーンを分割することで、シーンの連続性を損なわない自動分割ダビングを実現する。【選択図】  図１
2010021813.tif 000002
【特許請求の範囲】
【請求項１】
記録媒体に情報を記録または記録媒体から情報を再生する情報記録再生装置であって、
被写体を撮影し映像ストリームを生成するセンサ部と、
前記映像ストリーム中の前記被写体の顔を検出する検出部と、
前記検出部を制御する制御部と、
前記記録媒体に前記映像ストリームを含む前記情報を記録または前記記録媒体から前記情報を再生する記録再生部を有し、
撮影が開始されたときには、前記記録媒体に第１のマーク情報が記録され、
撮影をしている際、前記被写体の顔の数に変化があったときには前記記録媒体に前記第１のマーク情報とは異なる第２のマーク情報が記録されることを特徴とする情報記録再生装置。
【請求項２】
請求項１記載の情報記録再生装置であって、
前記記録媒体に記録された前記映像ストリームが、前記記録媒体とは異なるダビング先記録媒体にダビングされる際、
前記映像ストリームが複数の前記ダビング先記録媒体にまたがる場合、前記第１のマーク情報または前記第２のマーク情報の位置で前記映像ストリームを区切ってダビングが行われることを特徴とする情報記録再生装置。
【請求項３】
請求項２記載の情報記録再生装置であって、
前記ダビング先記録媒体を再生する際に前記第２のマーク情報が再生されないように、前記ダビングが行われることを特徴とする情報記録再生装置。
【請求項４】
請求項２記載の情報記録再生装置であって、
前記ダビング先記録媒体を再生する際に、前記第２のマーク情報であっても当該第２のマーク情報が前記ダビング先記録媒体の先頭に配置されたものであれば再生できるようにし、当該第２のマーク情報が先頭に配置されたものでなければ再生されないように、前記ダビングが行われることを特徴とする情報記録再生装置。
【請求項５】
請求項２または３記載の情報記録再生装置であって、
前記第２のマーク情報が、前記第１のマーク情報が記録されるディレクトリとは異なるディレクトリに記録されることによって、前記ダビング先記録媒体を再生する際に前記第２のマーク情報が再生されないようになることを特徴とする情報記録再生装置。
【請求項６】
被写体を撮影し、映像ストリームを含む情報を記録媒体に記録または記録媒体から情報を再生する情報記録再生方法であって、
撮影が開始されたときには、前記記録媒体に第１のマーク情報が記録され、
撮影をしている際、前記被写体の顔の数に変化があったときには前記記録媒体に前記第１のマーク情報とは異なる第２のマーク情報が記録されることを特徴とする情報記録再生方法。
【請求項７】
請求項６記載の情報記録再生方法であって、
前記記録された前記映像ストリームが、前記記録媒体とは異なるダビング先記録媒体にダビングされる際、
前記映像ストリームが複数の前記ダビング先記録媒体にまたがる場合、前記第１のマーク情報または前記第２のマーク情報の位置で前記映像ストリームを区切ってダビングが行われることを特徴とする情報記録再生方法。
【請求項８】
請求項７記載の情報記録再生方法であって、
前記ダビング先記録媒体を再生する際に前記第２のマーク情報が再生されないように、前記ダビングが行われることを特徴とする情報記録再生方法。
【請求項９】
請求項７記載の情報記録再生方法であって、
前記ダビング先記録媒体を再生する際に、前記第２のマーク情報であっても当該第２のマーク情報が前記ダビング先記録媒体の先頭に配置されたものであれば再生できるようにし、当該第２のマーク情報が先頭に配置されたものでなければ再生されないように、前記ダビングが行われることを特徴とする情報記録再生方法。
【請求項１０】
請求項７または８記載の情報記録再生方法であって、
前記第２のマーク情報が、前記第１のマーク情報が記録されるディレクトリとは異なるディレクトリに記録されることによって、前記ダビング先記録媒体を再生する際に前記第２のマーク情報が再生されないようになることを特徴とする情報記録再生方法。
【発明の詳細な説明】
【技術分野】
【０００１】
本発明は、情報記録再生装置及び情報記録再生方法に関する。
【背景技術】
【０００２】
人物認識技術や顔認識技術が監視システムやデジタルスチルカメラ、デジタルビデオカメラに搭載されるようになり、被写体に含まれる顔をカメラが認識し、その情報をフォーカスや露光などの設定に用いるような製品が知られている。
【０００３】
例えば特許文献１は「監視カメラ、監視方法、及び監視プログラム」に関し、カメラで認識した人物情報を利用し、「動画分割部６０は、動画人物抽出部５５において抽出された人物ごとに、画像格納部３０から受け取った複数のフレーム画像を複数のストリームに分割する」というようにストリームの分割をしている。
【０００４】
また、記録媒体を複数搭載したハイブリッドデジタルビデオカメラでは、カメラ内でリムーバブルメディアにダビングを行えるものが知られている。
【０００５】
ハイブリッドビデオカメラに内蔵されている記録媒体としては、容量が大きいハードディスクドライブやフラッシュメモリなどのような取り外し不可の固定メディアや、ブルーレイディスクのような光ディスクやＳＤカードのような取り外し可のリムーバブルメディアがある。
【０００６】
【特許文献１】特開２００７−１９８４５号公報（例えば［００２８］）
【発明の開示】
【発明が解決しようとする課題】
【０００７】
また、記録媒体を複数搭載したハイブリッドデジタルビデオカメラでは、カメラ内でリムーバブルメディアにダビングを行えるものが知られている。
【０００８】
ハイブリッドビデオカメラに内蔵されている記録媒体としては、容量が大きいハードディスクドライブやフラッシュメモリなどのような取り外し不可の固定メディアや、ブルーレイディスクのような光ディスクやＳＤカードのような取り外し可のリムーバブルメディアがある。
【０００９】
ハイブリッドデジタルビデオカメラに内蔵された固定メディアは、容量が大きく長時間の記録ができるが、長期間の保存や、撮影後の閲覧や鑑賞のためには、光ディスクなどのリムーバブルメディアにダビングする方法が一般的である。
【００１０】
しかし、リムーバブルメディアの容量は、カメラ内蔵の固定メディアの容量より小さい場合が多く、例えば、８ｃｍブルーレイディスクは記録層が1層の場合約７．５ＧＢ、ＳＤカードの最大容量は２ＧＢ、ＳＤＨＣカードの最大容量は３２ＧＢであるのに対し、固定メディアとしては、６０ＧＢ以上の容量を持つハードディスクドライブを内蔵したカメラや３２ＧＢのフラッシュメモリを内蔵したカメラが知られている。
【００１１】
この様な状況においては、固定メディアからリムーバブルメディアにダビングするときに、1枚のリムーバブルメディアに全データが収まらない問題が発生し、複数のメディアに分割してダビングせざるを得ない状況が発生する。
【００１２】
このとき、単純に等間隔で分割する解決策が一般的であるが、この方法では、連続であるべきシーンの途中で分割されてしまい、鑑賞時に突然シーンが中断してしまう場合がある。
【００１３】
しかし、前述の特許文献１ではこのような点について考慮されていなかった。
【００１４】
そこで本発明は、上記の点を考慮し、適切にダビングを行い、ユーザの使い勝手を向上する情報記録再生装置及び情報記録再生方法を提供することを目的とする。
【課題を解決するための手段】
【００１５】
本発明では、例えば通常のマークとは異なるダビング用マークを用いてストリームを区切り、これらのマークをダビングに用いることにより前記課題を解決できるが、この実施態様に限られることはない。
【発明の効果】
【００１６】
本発明によれば、適切にダビングを行い、ユーザの使い勝手を向上する情報記録再生装置及び情報記録再生方法を提供することができる。
【発明を実施するための最良の形態】
【００１７】
以下、本発明の好適な実施例を図面を用いて説明する。
【実施例１】
【００１８】
図１は、本発明の第１の実施例のブロック図である。ここでは一例としてカメラを例にして説明を進めるが、同様の処理をする装置であればこれに限られないものとする。
【００１９】
１０１はＣＰＵ、１０２は映像・音声等のセンサ、１０３はＤＳＰ、１０４はＣＯＤＥＣ、１０５は顔検出部、１０６はＳＤＲＡＭ、１０７はＡＴＡ／ＡＴＡＰＩ制御部、１０８はＨＤＤ、１０９はＢＤドライブ、１１０はモニタ出力部、である。
【００２０】
同図において、ＣＰＵ１０１はＤＳＰ１０３やＣＯＤＥＣ１０４、ＡＴＡ／ＡＴＡＰＩ制御部１０７をはじめ各部の制御を行う。センサ１０２は撮像した映像データを電気信号に変換しＤＳＰ１０３に転送する。ＤＳＰ１０３はセンサ１０２からの映像入力を信号処理し、顔検出部１０５の制御および顔検出信号を処理する。このように、本実施例では、撮影時に顔検出部１０５が被写体の顔を検出する。ＣＯＤＥＣ１０４はＤＳＰ１０３から入力された映像信号を圧縮処理する。圧縮処理には、ＳＤＲＡＭ１０６をワークバッファとして使用する。ＣＯＤＥＣ１０４で圧縮された映像信号はＡＴＡ／ＡＴＡＰＩ制御部１０７を経由して、ＨＤＤ１０８もしくはＢＤ１０９の記録媒体に記録される。再生時は、ＨＤＤ１０８もしくはＢＤ１０９の記録媒体から読み出された映像信号を、ＡＴＡ／ＡＴＡＰＩ制御部１０７を経由して、ＣＯＤＥＣ１０４に転送し、ＣＯＤＥＣ１０４で伸張処理を行う。伸張処理には、ＳＤＲＡＭ１０６をワークバッファとして使用する。伸張された映像信号は、モニタ出力部１１０に転送され映像表示される。ダビング時には、ＨＤＤ１０８から読み出された映像信号を、ＡＴＡ／ＡＴＡＰＩ制御部１０７を経由して、ＣＯＤＥＣ１０４に転送し、ＣＯＤＥＣ１０４で伸張処理を行う。伸張処理には、ＳＤＲＡＭ１０６をワークバッファとして使用する。
【００２１】
撮影時に、顔検出部１０５が顔を検出すると、顔検出部１０５からＤＳＰ１０３経由でＣＰＵ１０１へ割り込み信号があがり、ＣＰＵ１０１が顔検出を認識する。顔検出を認識したら、ＣＰＵ１０１はシーンの区切りとなるマーク情報を生成し、ＡＴＡ／ＡＴＡＰＩ制御部１０７を経由して、ＨＤＤ１０８に記録する。
【００２２】
撮影の停止等によりシーンの区切りがある場合には、ＣＰＵ１０１は通常のマーク情報を生成し、ＡＴＡ／ＡＴＡＰＩ制御部１０７を経由して、ＨＤＤ１０８に記録する。
【００２３】
次に、図２は、本発明の第１の実施例の映像データの例を示した模式図であり、シーン構成とマークおよび顔有無を示している。Ｔ２１は最初のシーンを撮影開始した時刻、Ｔ２２は最初のシーンの撮影開始から２０分程度経過したときに被写体が１名いなくなり被写体が０名になった時刻、Ｔ２３は最初のシーンの撮影開始から３０分程度経過したときに被写体が１名増加し計１名になった時刻、Ｔ２４は最初のシーンの撮影開始から４５分程度経過して撮影を終了した時刻、Ｔ２５は２番目のシーンを撮影開始した時刻、Ｔ２６は２番目のシーンを撮影開始した時刻から１０分ほど経過して撮影を終了した時刻、Ｍ１は最初のシーンの先頭のマーク、Ｍ２は被写体が１名減少したタイミングで付与されたマーク、Ｍ３は１名増加したタイミングで付与されたマーク、Ｍ４は２番目のシーンの先頭のマーク、画面２１１はＴ２１からＴ２２までの間の画面の概要、画面２１２はＴ２２からＴ２３までの間の画面の概要、画面２１３はＴ２３からＴ２４までの間の画面の概要、画面２１４はＴ２５からＴ２６までの間の画面の概要である。Ｔ２１からＴ２２までをシーン１ａ、Ｔ２２からＴ２３までをシーン１ｂ、Ｔ２３からＴ２４までをシーン１ｃ、Ｔ２５からＴ２６までをシーン２と表記している。また、２０１はＴ２１を示しており、同様に、２０２はＴ２２、２０３はＴ２３、２０４はＴ２４、２０５はＴ２６を示している。画面２１１と画面２１３に示すように、シーン１ａとシーン１ｃには被写体が１名存在し、被写体の顔がそれぞれ１名分表示されている。一方、画面２１２と画面２１４に示すように、シーン１ｂとシーン２には被写体が存在せず、被写体の顔は存在しない。
【００２４】
マークＭ１とマークＭ４はユーザが撮影開始した際に付与されるマークであり、シーンの区切りとして常時使用されるマークである。一方マークＭ２とマークＭ３は顔検出部１０５からの割り込みによりカメラのＣＰＵ１０１が自動的に生成したマークである。マークＭ１とマークＭ４は再生時にもダビング時にも、シーンの区切りとして表示される一般的なマークであるが、マークＭ２とマークＭ３は再生時には表示されない、ダビング専用のマークであり、一般的なマークとは別の種別のマークとして記録される。
【００２５】
なお、ここでは再生時のシーン連続性を優先すべく、マークＭ２とマークＭ３を再生時に表示しないことにしたが、ユーザニーズに対応すべく、例えば被写体の顔が増減した位置でも再生時に頭出しをしたい場合はマークＭ２やマークＭ３を再生時に表示できるようにしてもよい。さらに、被写体の顔が増えたときと減ったときとでマークの種類を異ならせることにしてもよい。これにより、被写体の顔が増えたときと減ったときを別種類のマークで管理することが可能となり、多様なユーザニーズに対応できるからである。
【００２６】
また、ユーザの用途に応じて例えば被写体の顔の数が増えたタイミングだけマークを付与し、被写体の顔の数が減ったタイミングはマークを付与しないこととしてもよい。またその逆、すなわち被写体の顔の数が減ったタイミングだけマークを付与し、被写体の顔の数が増えたタイミングはマークを付与しないこととしてもよい。ここで付与するマークはダビング専用でも、通常のマークでもいずれでもよいものとする。これにより、多様なユーザニーズに対応でき、より利便性を向上させることが可能となる。
【００２７】
図３は、本発明の第１の実施例の再生時のシーン構成とマークを示した模式図であり、図２と同じ符号は説明を省略する。ここでは、マークＭ２とマークＭ３は再生時には表示されない、ダビング専用のマークとして説明しているため、図３ではシーン１とシーン２の、２シーンで構成されている様子を示している。
【００２８】
図４は、本発明の第１の実施例の再生時のシーン選択画面例を示した図であり、シーン１のサムネイル画像４１１とシーン２のサムネイル画像４１４が表示されている。ここでは、マークＭ２とマークＭ３は再生時には表示されない、ダビング専用のマークとして説明しているため、図４においてユーザが選択可能なのは、シーン１とシーン２の２通りである。シーン１を選択して再生開始すると、Ｔ２１からＴ２４まで、連続的に再生される。また、シーン２を選択して再生開始すると、Ｔ２５からＴ２６まで、連続的に再生される。
【００２９】
図５は、本発明の第１の実施例のダビング時のシーン構成とマークを示した模式図であり、図２と同じ符号は説明を省略する。マークＭ２とマークＭ３は、ダビング時にはＭ１やＭ４のように通常のマーク同様に扱われるため、図５ではシーン１ａとシーン１ｂとシーン１ｃとシーン２の、４シーンで構成されている様子を示している。
【００３０】
図６は、本発明の第１の実施例のダビングの際のシーン構成例を示した図であり、ダビングを実行する前に、カメラが自動的に分割を行うことをユーザに説明するための図である。図６では、ディスク１枚当たり３０分までの映像を録画可能であるという前提で、ディスク１にシーン１の先頭から３０分、つまり、２０分のシーン１ａと１０分のシーン１ｂをダビングし、ディスク２にシーン１の残り、つまり、１５分のシーン１ｃと、１０分のシーン２をダビングする、という構成になる旨を示している。
【００３１】
図７は、ダビング後のディスク１の再生シーン選択画面例を示した図であり、シーン１ａのサムネイル画像７１１が表示されている。ユーザが選択可能なのは、シーン１ａのみであり、シーン１ａを選択して再生開始すると、Ｔ２１からＴ２３まで、連続的に再生される。このように、ディスク１には、シーン１ａとシーン１ｂが結合された状態でダビングされる。
【００３２】
図８は、ダビング後のディスク２の再生シーン選択画面例を示した図であり、シーン１ｃのサムネイル画像８１３とシーン２のサムネイル画像８１４が表示されている。ユーザが選択可能なのは、シーン１ｃとシーン２の２通りである。シーン１ｃを選択して再生開始すると、Ｔ２３からＴ２４まで、連続的に再生される。シーン２を選択して再生開始すると、Ｔ２５からＴ２６まで、連続的に再生される。
【００３３】
図９は、マークに関する情報の管理を説明する模式図である。例えばブルーレイディスクやＳＤカードのような媒体に情報をダビングする際に、どのようにマークを管理するかを、この図を用いて説明する。本図において破線で囲んだ部分９０１は、ＢＤＭＶ(Blu-ray Disk Movie)規格やＡＶＣＨＤ(Advanced Video Codec High Definition)規格が有する共通のディレクトリである。index.bdmvは、シーン総数や最終記録日時といったファイル全体の管理情報であり、MovieObject.bdmvは、ファイルを実行する際のシーケンスに関する情報である。PLAYLISTディレクトリに含まれる00000.mplsや00001.mplsはストリームの再生順を示すプレイリストファイルであり、前述のマークＭ１やマークＭ４といった通常のマークはこのPLAYLISTディレクトリに含まれる。STREAMディレクトリとCLIPINFOディレクトリは対になっている。STREAMディレクトリに含まれる01000.m2tsや02000.m2tsのファイルがストリーム本体であり、CLIPINFOディレクトリに含まれる01000.clpiや02000.clpiのファイルが各ストリームについてのGOP(Group Of Pictures)先頭位置やストリームのフォーマット種類等を示す管理情報となっている。BACKUPディレクトリには、ストリーム本体である*.m2tsファイル以外のファイルをコピーしたファイルが含まれる。
【００３４】
本実施例では、rootディレクトリの下にさらにMARKディレクトリ９０２を作成し、このディレクトリに前述のマークＭ２やマークＭ３といったダビング用のマークに関する情報を記録する。一般に、規格に規定されているディレクトリとは異なる別ディレクトリを作成した場合、同規格対応のプレーヤ等の装置からは、その別ディレクトリは再生されない。そのため、前述のようにあえてＢＤＭＶ規格やＡＶＣＨＤ規格で規定されているディレクトリとは異なる別ディレクトリを作成し、その別ディレクトリにＭ２やＭ３といったマークに関する情報を記録しておけば、ダビングする際にはダビング装置側でＭ２やＭ３のダビング用マークを参照でき、再生時にはプレーヤでＭ２やＭ３を隠蔽することが可能となる。
【００３５】
一方、マークＭ２やＭ３を再生時にも参照したい場合は、これらＭ２やＭ３に関するマーク情報を、例えばPLAYLISTディレクトリのように規格に規定されているディレクトリに記録しておけばよい。
【００３６】
図１０は、本実施例での撮影とダビングのフローを示す図である。図１０（a）を用いて撮影のフローについて説明し、図１０（ｂ）を用いてダビングのフローについて説明する。図１０（a）では、まずＳ１０１において撮影が開始され、続いてＳ１０２において映像・音声等のセンサ１０２から映像ストリーム等の情報がＤＳＰ１０３へ入力開始される。Ｓ１０３では映像ストリーム中の被写体の顔の数の変化（増減）を検出し、変化があった場合はＳ１０４に進む。Ｓ１０４では前述のマークＭ２やマークＭ３のようなダビング用のマークが付与され、このダビング用マークは前述のように規格とは別のディレクトリ９０２に記録される。Ｓ１０３でＮの場合や、Ｓ１０４の後はＳ１０５に進み、Ｓ１０５では通常のシーン変化を検出する。シーン変化があった場合はＳ１０６に進み、前述のマークＭ１やマークＭ４のような通常マークが付与され、この通常マークは前述のように規格で定義されている規定のディレクトリ９０１に記録される。Ｓ１０５でＮの場合や、Ｓ１０６の後はＳ１０７に進み、Ｓ１０７では映像ストリームが終了したかどうかを検出する。記録停止指示等によりセンサ１０２からのストリーム入力が終了した場合には、Ｓ１０８で撮影が終了する。一方ストリームが終了していない場合は再度Ｓ１０３に戻る。
【００３７】
図１０（ｂ）では、まずＳ１０９においてダビングが開始され、続いてＳ１１０においてマークの有無を確認しながらダビング先への記録が開始される。Ｓ１１１では、マークがあった場合にそのマークがダビング専用マークかどうかを判断する。Ｓ１１１でマークがダビング専用と判断されればＳ１１２に進み、逆にダビング専用ではない場合はＳ１１４に進む。Ｓ１１２ではさらにそのダビング専用マークが、ダビング先媒体における先頭マークかどうかを判断し、先頭マークではない場合はＳ１１３に進み、先頭マークである場合はＳ１１４に進む。Ｓ１１３では、再生時にダビング専用マークが見えないように、例えば前述の別ディレクトリ９０２のようなディレクトリにマーク情報を記録する。Ｓ１１４では、再生時にもマークが見えるように、例えば前述の規定ディレクトリ９０１のようなディレクトリにマーク情報を記録する。続いてＳ１１５ではストリームが終了したかどうかを判断し、終了していない場合はＳ１１６に進み、ダビング先の媒体の容量に達したかどうかを判断する。Ｓ１１６で容量に達した場合はＳ１１７に進み、ダビング先の媒体に記録できる最後のマークまで記録し、空き容量のある媒体に交換後、ストリームの続きを記録再開する。Ｓ１１６で容量に達していない場合はＳ１１０に戻る。また、Ｓ１１５でストリームが終了した場合は、Ｓ１１８でダビングを終了する。
【００３８】
このように、本実施例ではダビング用のマークを用いることによって、シーンの連続性を損なうことなく複数メディアへのダビングを実現しつつ、再生時にはユーザが意図しないシーン分割が起こらずに再生できる一実施形態について説明した。
【００３９】
また、本実施例では顔検出を撮影時に行う例を説明した。これにより、顔検出情報を撮影時にあらかじめ取得しておくことが可能となるため、ダビング前に再度顔検出情報を検出することが不要となり、顔検出情報を考慮したダビングをすみやかに行うことが可能となる。
【００４０】
また、上記の実施例では、顔の数が０から１もしくは１から０になる位置でマークを打つ場合を説明したが、必ずしも顔の数が０になる必要はなく、例えば、１から２に増加した位置や、２から３に増加した位置、逆に５から４に減少した位置などにマークを打つことも可能である。この場合は、より細かい単位でのシーン分割ができ、ダビングするディスク容量を効率的に使用できるという効果がある。
【実施例２】
【００４１】
図１１は、本発明の第２の実施例のブロック図であり、図１と同じ符号は説明を省略する。
【００４２】
本実施例と実施例１の違いは、顔検出部１０５がＣＯＤＥＣ１０４と接続されており、ＣＯＤＥＣ１０４が顔検出部１０５の制御および顔検出信号を処理することである。これにより、撮影時ではなく、ダビング時に顔検出部１０５が被写体の顔を検出する。
【００４３】
撮影時と再生時は実施例１と同様の流れで信号が処理されるが、顔検出については撮影時ではなくダビング時に行われる。ダビング時についても、ＨＤＤ１０８から読み出された映像信号を、ＡＴＡ／ＡＴＡＰＩ制御部１０７を経由して、ＣＯＤＥＣ１０４に転送し、ＣＯＤＥＣ１０４で伸張処理を行い、伸張処理にはＳＤＲＡＭ１０６をワークバッファとして使用する点については実施例１同様である。
【００４４】
本実施例では、ダビング時に伸張された映像信号が、顔検出部１０５に転送され顔検出処理が行われる。また、伸張された映像信号は、ＣＯＤＥＣ１０４にて、再度圧縮処理を行い、記録時と同様に、ＢＤ１０９の記録媒体に記録される。より具体的には、ダビングが開始されるとまずＨＤＤ１０８等のダビング元からストリームの読み出しが行われ、顔検出が行われる。
【００４５】
ダビング時に、顔検出部１０５が顔を検出すると、顔検出部１０５からＣＯＤＥＣ１０４経由でＣＰＵ１０１へ割り込み信号があがり、ＣＰＵ１０１が顔検出を認識する。顔検出を認識したら、ＣＰＵ１０１はシーンの境界であると認識し、シーンにマークを打つことでシーンを区切る。マークに関する情報は、例えばＳＤＲＡＭ１０６等のバッファメモリに一時的に保存しておく。顔検出によって打たれたマークは、ダビング処理の途中で削除される可能性がある暫定的なマークであるため、暫定マークと呼ぶ。
【００４６】
シーン末尾までＨＤＤ１０８からＢＤ１０９へダビング完了した場合は、そのシーンの暫定マークを削除することで、ユーザに不要なシーン分割を意識させずに済むことができる。
【００４７】
シーンのダビング途中で、１枚目のディスク残量がなくなった場合は、そのシーンのダビング中に打たれた暫定マークのうち、最後に打った暫定マーク位置をシーン末尾とし、かつ、最後に打ったマーク以外の暫定マークを削除することで、ユーザに不要なシーン分割を意識させずに済むことができる。さらに、次のディスクに交換してダビングを再開する場合は、最後に打った暫定マークの位置からダビングを再開する。
【００４８】
ダビング元からのストリーム読み出し及び顔検出と、ダビング先への記録のタイミングについては、例えば読み出し・顔検出と記録を並行して行ってもよいし、読み出し・顔検出をストリーム末尾まで終えてから記録をしてもよい。読み出し・顔検出と記録を並行して行う場合は、ダビング時間短縮が可能となり、読み出し・顔検出を終えてから記録をする場合は、ダビング先の媒体容量に収まるマーク位置があらかじめ分かるので効率よく記録が可能となる。
【００４９】
本実施例でのダビングのフローを、図１２を用いて説明する。
【００５０】
まず、Ｓ１２０１でダビングが開始され、続いてＳ１２０２ではＨＤＤ１０８等のダビング元媒体からストリームが読み出される。Ｓ１２０３〜１２０７は基本的に前述した図１０（a）のＳ１０３〜Ｓ１０７と同様とする。ただし、本実施例ではＳ１２０４でもＳ１２０６でもマーク情報は一度ＳＤＲＡＭ１０６等のバッファメモリに保存される。バッファメモリに一時的に保存されるマーク情報は、ダビング先へストリーム本体のダビングが終わった後にまとめてダビング先に記録される。最終的な管理情報を記録するようにすれば、ダビング先の媒体容量を効率よく使用できるためである。図１１ではＳ１２０９のダビング先への記録のステップをＳ１２０７より前に配置したが、これは前述の、ストリーム読み出し・顔検出と記録を並行して行う場合を示している。読み出し・顔検出を終えてから記録をする場合はＳ１２０９をＳ１２０７とＳ１２０８の間に配置すればよい。Ｓ１２０８はダビングの終了を示す。
【００５１】
以上の処理を繰り返すことで、複数のディスクにシーンを分割してダビングするときであっても、顔が映っていない位置でシーンを分割することができるため、シーンの連続性を損なうことなく分割が可能となるという効果がある。
【００５２】
また、本実施例では顔検出をダビング時に行う例を説明した。これにより、撮影時に顔検出情報を取得する方法と比べて撮影時の処理負荷を軽減することが可能となる。また、撮影時ではなくダビング時に顔検出することとしておけば、例えば顔検出機能を有さない装置で映像を撮影した後、同機能を有するファームウェアを同装置にアップデートした場合、既撮影の映像に対しても事後的に顔検出をすることが可能になる。
【００５３】
また、上記の実施例では、顔の数が０から１もしくは１から０になる位置でマークを打つ場合を説明したが、必ずしも顔の数が０になる必要はなく、例えば、１から２に増加した位置や、２から３に増加した位置、逆に５から４に減少した位置などに暫定マークを打つことも可能である。この場合は、より細かい単位でのシーン分割ができ、ダビングするディスク容量を効率的に使用できるという効果がある。
【００５４】
なお、本実施例では、撮影時に顔検出を行わず、ダビング時にのみ顔検出を行う例を説明した。しかし、この変形例として、撮影時・ダビング時の両方で顔検出することとしてもよい。撮影時には撮影用の信号処理等により、詳細な顔検出を行おうとすると装置への負荷が大きくなる。そのため、撮影時には撮影用の信号処理を優先させながら顔検出を行っておき、その後ダビングをする際に改めて詳細な顔検出をすれば、より精度の高い顔検出が可能となる。顔検出には、前述のような被写体の顔の数の変化のみならず、例えば被写体の顔の種類も検出することとしてもよい。このようにすればよりユーザ利便性を向上させることができるからである。
【００５５】
本発明を、大容量の固定メディアと比較的小容量のリムーバブルメディアを内蔵したハイブリッドカメラに適用することで、鑑賞時のシーンの連続性を損なわないシーン自動分割ダビングを実現する用途に利用可能となる。
【００５６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。
【図面の簡単な説明】
【００５７】
【図１】第１の実施例のブロック図
【図２】第１の実施例の映像データの例を示した模式図
【図３】第１の実施例の再生時のシーン構成とマークを示した模式図
【図４】第１の実施例の再生時のシーン選択画面例を示した図
【図５】第１の実施例のダビングの際のシーン構成例を示した図
【図６】第１の実施例のダビングの際のシーン構成例を示した図
【図７】ダビング後のディスク１の再生シーン選択画面例を示した図
【図８】ダビング後のディスク２の再生シーン選択画面例を示した図
【図９】マークに関する情報の管理を説明する模式図
【図１０（ａ）】第１の実施例の撮影を示す図
【図１０（ｂ）】第１の実施例のダビングのフローを示す図
【図１１】第２の実施例のブロック図
【図１２】第２の実施例のダビングのフローを示す図
【符号の説明】
【００５８】
１０１…ＣＰＵ、１０２…センサ、１０３…ＤＳＰ、１０４…ＣＯＤＥＣ、１０５…顔検出部、１０６…ＳＤＲＡＭ、１０７…ＡＴＡ／ＡＴＡＰＩ制御部、１０８…ＨＤＤ、１０９…ＢＤドライブ、１１０…モニタ出力部
【図１】
2010021813.tif 000003
【図２】
2010021813.tif 000004
【図３】
2010021813.tif 000005
【図４】
2010021813.tif 000006
【図５】
2010021813.tif 000007
【図６】
2010021813.tif 000008
【図７】
2010021813.tif 000009
【図８】
2010021813.tif 000010
【図９】
2010021813.tif 000011
【図１０（ａ）】
2010021813.tif 000012
【図１０（ｂ）】
2010021813.tif 000013
【図１１】
2010021813.tif 000014
【図１２】
2010021813.tif 000015